(57)【要約】      （修正有）【課題】着用時に除菌、殺菌を可能とするマスクを提供する。【解決手段】マスク１０は、マスク本体１と、マスク本体の表面上部に配置され、マスク本体にＵＶ−Ｃの紫外線を照射する照射部２と、を有している。照射部はマスク本体の曲面に沿うようにフレキシブル基板上に一定間隔で配置された複数のＬＥＤ発光素子２ａを有する。【選択図】図１
0003229877.tif 000002
【実用新案登録請求の範囲】
【請求項１】
マスク本体と、
マスク本体の表面上部に配置され、前記マスク本体にＵＶ−Ｃの紫外線を照射する照射部と、
を有することを特徴とするマスク。
【請求項２】
前記照射部は、着用時のマスク本体の曲面に沿うように曲面を有するフレキシブル基板上に一定の間隔で配置された複数のＬＥＤ発光素子を有する請求項１に記載のマスク。
【請求項３】
前記マスク本体の表面に配置され、前記照射部が前記マスク本体の表面に照射した光を前記マスク本体の表面に拡散させる光ファイバを備える請求項１または２に記載のマスク。
【請求項４】
前記マスク本体の表面に光触媒が塗布されている請求項１ないし３のいずれかに記載のマスク。
【考案の詳細な説明】
【技術分野】
【０００１】
本考案はマスクに関する。
【背景技術】
【０００２】
新型コロナウイルスが世界各地で大きな影響を与えるなか、各国で衛生に関する意識が急速に高まっている。それに伴い注目を与えているのが紫外線技術を活用した殺菌技術である。
【０００３】
紫外線は可視光線よりも波長が短い光で、特に100〜400nmの波長域を指し、波長別に315〜400nmの「UV-A」、280〜315nmの「UV-B」、100〜280nmの「UV-C」（深紫外）の3種類に分類される。このうち最もエネルギーが高く、生体に対する強い破壊力を持つのがUV-Cで、その特性を活かし、トイレ、キッチン、調理器具などの殺菌・消臭、水の浄化、空気の除菌などに使用されている。
【０００４】
UV-Cの光源としては長年、水銀ランプが主流だったが、人体や環境へ悪影響を与える水銀は「水俣条約」による制限が進んでいることから、現在、水銀を使わず効率良くUV-Cを発生することができるLEDへのシフトが進んでおり、スタンレー電気（株）、ナイトライド・セミコンダクター（株）、日機装（株）、旭化成（株）のグループ会社であるCrystal IS社、LGイノテック、SETi（Sensor Electronic Technology）、日亜化学工業（株）などが、UV-C LED関連製品を展開している。
【０００５】
そして昨今の新型コロナの拡大を受け、UV-C LEDで除菌が行え、不織布マスクの再利用などにつなげられる殺菌消臭器などが注目を集め始めている。「不織布マスクに使用されるメルトブローン繊維は、熱可塑性ポリマーを原料とするため、紫外線照射を受けると構造が破壊されフィルター性能が低下する」との指摘も一部であるが、ナイトライド・セミコンダクターが、波長275nmのUV-C LEDをN95マスク（米国労働安全衛生研究所の規格に合格したマスク）や手術用マスクに40分間照射した結果、粒子捕集率は照射前とほぼ同じという結果を得られた。200分間の照射でもN95マスクの粒子捕集率は99.959％を記録し、手術用マスクも劣化は認められなかったという。
【先行技術文献】
【非特許文献】
【０００６】
【非特許文献１】浮島哲志，“新型コロナ対策で紫外線技術が注目”，［online］，２０２０年６月５日，電子デバイス産業新聞，［令和２年９月３０日検索］，インターネット＜URL: https://www.sangyo-times.jp/article.aspx?ID=3331＞
【考案の概要】
【考案が解決しようとする課題】
【０００７】
殺菌消臭器は、一度着用したマスクを再利用することを目的としているが、マスクの着用時に除菌、殺菌ができればより衛生的である。
１つの側面では、本考案は、マスクの着用時に除菌、殺菌を可能とすることを目的とする。
【課題を解決するための手段】
【０００８】
上記目的を達成するために、開示のマスクが提供される。このマスクは、マスク本体と、マスク本体の表面上部に配置され、マスク本体にＵＶ−Ｃの紫外線を照射する照射部と、を有している。
【考案の効果】
【０００９】
１態様では、マスクの着用時に除菌、殺菌が可能となる。
【図面の簡単な説明】
【００１０】
【図１】第１の実施の形態のマスクを示す図である。
【図２】第２の実施の形態のマスクを示す図である。
【考案を実施するための形態】
【００１１】
以下、実施の形態のマスクを、図面を参照して詳細に説明する。
以下の図面等において示す各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲等に限定されない。
実施の形態において単数形で表される要素は、文面で明らかに示されている場合を除き、複数形を含むものとする。
【００１２】
＜第１の実施の形態＞
図１は、第１の実施の形態のマスクを示す図である。
マスク１０は、マスク本体１と、照射部２と、導線３ａ、３ｂと、制御回路４と、電源５とを有している。
マスク本体１は、従来からある布製または不織布のマスクである。以下の説明では、着用時に顔に接触しない側の面を「表面」という。
照射部２は、マスク本体１の表面上部（マスク１０着用時にマスク本体１を挟んで鼻や頬骨の反対側に対応する位置）に配置されている。
照射部２は、複数のＵＶ−Ｃ  ＬＥＤ発光素子（以下、単にＬＥＤ発光素子と言う）２ａを有している。
【００１３】
ＬＥＤ発光素子２ａは、マスク本体１の表面に紫外線（ＵＶ−Ｃ）を照射することにより、マスク本体１の表面に付着する菌（ウイルス）を滅菌または殺菌する。照射する紫外線の波長は特に限定されないが、例えば２５０ｎｍ程度である。なお、紫外線（ＵＶ−Ｃ）の波長は１００〜２８０ｎｍ（深紫外）である。
【００１４】
本実施の形態では、ＬＥＤ発光素子２ａは５個であり、横長のフレキシブル基板２ｂ上に一定の間隔で配置されている。なお、ＬＥＤ発光素子２ａの個数は特に限定されない。フレキシブル基板２ｂは、着用時のマスク本体１の曲面に沿うように曲面を有している。フレキシブル基板２ｂは、紙面奥側から手前側に例えば３〜５ｍｍ程度の幅を備えている。
【００１５】
ＬＥＤ発光素子２ａは、それぞれマスク本体１の表面（紙面下側）に紫外線を照射できるようフレキシブル基板２ｂの紙面下側に配置されている。これにより、着用者の目に紫外線が当たることを抑制している。図１では、ＬＥＤ発光素子２ａの照射イメージを点線の矢印で示している。
図示していないが、マスク着用者に紫外線が当たらないようにマスク本体１に覆い等のガードが設けられていてもよい。
配線３ａは、ＬＥＤ発光素子２ａと制御回路４とを電気的に接続する。配線３ｂは制御回路４と電源５とを電気的に接続する。
電源５は、例えば４Ｖの電池を有している。
【００１６】
また、マスク本体１の表面には、光触媒が塗布されている。光触媒を塗布することにより、マスク本体１の表面に紫外線が照射されるとマスク本体１に付着したにおい物質や細菌を分解する効果が得られる。
【００１７】
以上述べたように、実施の形態のマスク１０によれば、マスク本体１と、マスク本体１の表面上部に配置され、マスク本体１にＵＶ−Ｃの紫外線を照射する照射部２と、を有する。これにより、マスクの着用時に除菌、殺菌が可能となる。
【００１８】
＜第２の実施の形態＞
次に、第２の実施の形態のマスクについて説明する。
以下、第２の実施の形態のマスクについて、前述した第１の実施の形態との相違点を中心に説明し、同様の事項については、その説明を省略する。
図２は、第２の実施の形態のマスクを示す図である。
第２の実施の形態のマスク１０ａは、ＬＥＤ発光素子２ａが照射した光を乱反射させる光ファイバ６を有している。
【００１９】
ＬＥＤ発光素子２ａが照射した入射光の角度を調整することにより、ＬＥＤ発光素子２ａが照射した入射光は全反射を起こさず、一部が光ファイバ６から散乱光として出射する。これにより、マスク本体１のより広範囲にＵＶ−Ｃの紫外線を照射することができる。
なお、光ファイバ６の配置パターンは図示のものに限定されない。
【００２０】
以上、本考案のマスクを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
また、本考案は、前述した各実施の形態のうちの、任意の２以上の構成（特徴）を組み合わせたものであってもよい。
【符号の説明】
【００２１】
１  マスク本体
２  照射部
３ａ、３ｂ  導線
４  制御回路
５  電源
１０、１０ａ  マスク
【図１】
0003229877.tif 000003
【図２】
0003229877.tif 000004